(57)【要約】【課題】タッチ式入力装置において、ユーザをより正確な操作に導くことができる。【解決手段】制御装置は、ディスプレイに表示する画面（アイコン画面、地図画面）に応じて受け付け操作状態をフリック受付状態とピンチ受付状態との間で変更するとともに、ＬＥＤの点灯を通じてタッチボード１３ａに受け付け操作を示す操作ガイド１７ａ，１７ｂを表示する。よって、ユーザはタッチボード１３ａへタッチ操作する際に、操作ガイド１７ａ，１７ｂを見て受け付け操作内容を認識することができる。【選択図】図３
2014126938.tif 000002
【特許請求の範囲】
【請求項１】
画面を表示するディスプレイと、
前記ディスプレイとは別に構成される操作面に対するユーザのタッチ操作を検出する検出部と、
受け付け操作内容を示す操作ガイドを前記操作面に表示する表示部と、
前記ディスプレイに表示する画面に応じて受け付け操作内容を変更するとともに、前記表示部を通じてその受け付け操作内容を示す前記操作ガイドを表示する制御部と、を備えた
ことを特徴とするタッチ式入力装置。
【請求項２】
請求項１に記載のタッチ式入力装置において、
前記制御部は、前記検出部を通じて前記操作面に対して閾時間以内に閾距離以上のなぞり操作がされた旨判断するとフリック操作がされた旨判断し、前記操作面における操作ガイド上がなぞり操作されているとき前記閾時間及び前記閾距離を小さく設定する
ことを特徴とするタッチ式入力装置。
【請求項３】
請求項１又は２に記載のタッチ式入力装置において、
前記制御部は、前記検出部に基づき前記操作面に指をタッチした状態でその指を払うフリック操作と、前記操作面にタッチした２本指の間の距離を変化させるピンチ操作とを認識可能であって、
前記フリック操作及び前記ピンチ操作の両操作を受け付ける状態においてフリック操作に係る前記操作ガイドと、ピンチ操作に係る前記操作ガイドと、を交互に表示し、前記フリック操作が開始されたとき前記フリック操作に係る操作ガイドのみを表示し、前記ピンチ操作が開始されたとき前記ピンチ操作に係る操作ガイドのみを表示する
ことを特徴とするタッチ式入力装置。
【発明の詳細な説明】
【技術分野】
【０００１】
この発明は、タッチ式入力装置に関する。
【背景技術】
【０００２】
従来、タッチパッドをタッチ操作することでディスプレイの表示画面の選択及び制御の実行が可能に構成されるタッチ式入力装置が知られている（例えば、特許文献１参照）。
また、タッチ式入力装置において、タッチされた指の本数に応じて異なる種類の操作が可能に構成されている（例えば、特許文献２参照）。
【先行技術文献】
【特許文献】
【０００３】
【特許文献１】特開２０１０−９３２１号公報
【特許文献２】特開２０１１−２３７９６３号公報
【発明の概要】
【発明が解決しようとする課題】
【０００４】
このタッチ式入力装置において、現在、何れの種類の操作を受け付けているかをユーザは知ることができない。よって、タッチ式入力装置において受け付けていない操作がユーザにより行われる可能性が高かった。
【０００５】
この発明は、こうした実情に鑑みてなされたものであり、その目的は、ユーザをより正確な操作に導くことができるタッチ式入力装置を提供することにある。
【課題を解決するための手段】
【０００６】
上記課題を解決するタッチ式入力装置は、画面を表示するディスプレイと、前記ディスプレイとは別に構成される操作面に対するユーザのタッチ操作を検出する検出部と、受け付け操作内容を示す操作ガイドを前記操作面に表示する表示部と、前記ディスプレイに表示する画面に応じて受け付け操作内容を変更するとともに、前記表示部を通じてその受け付け操作内容を示す前記操作ガイドを表示する制御部と、を備えている。
【０００７】
この構成によれば、制御部は、ディスプレイに表示する画面に応じて受け付け操作内容を変更するとともに、表示部を通じてその受け付け操作内容を示す操作ガイドを表示する。よって、ユーザはタッチ操作する際に、操作面を見て受け付け操作内容を認識することができる。これにより、ユーザをより正確な操作に導くことができる。
【０００８】
上記タッチ式入力装置について、前記制御部は、前記検出部を通じて前記操作面に対して閾時間以内に閾距離以上のなぞり操作がされた旨判断するとフリック操作がされた旨判断し、前記操作面における操作ガイド上がなぞり操作されているとき前記閾時間及び前記閾距離を小さく設定することが好ましい。
【０００９】
この構成によれば、操作面における操作ガイド上がなぞり操作されているとき、それ以外の範囲が操作されている場合と比べてフリック操作の判定基準となる閾時間及び閾距離が小さく設定される。よって、制御部は、操作ガイド上では、より短い時間及びなぞり操作距離でフリック操作がされた旨判断する。この操作ガイド上でのフリック操作はユーザのフリック操作の意思があると推定される。従って、操作ガイド上でのなぞり操作を通じて、より容易にフリック操作を行うことができる。
【００１０】
上記タッチ式入力装置について、前記制御部は、前記検出部に基づき前記操作面に指をタッチした状態でその指を払うフリック操作と、前記操作面にタッチした２本指の間の距離を変化させるピンチ操作とを認識可能であって、前記フリック操作及び前記ピンチ操作の両操作を受け付ける状態においてフリック操作に係る前記操作ガイドと、ピンチ操作に係る前記操作ガイドと、を交互に表示し、前記フリック操作が開始されたとき前記フリック操作に係る操作ガイドのみを表示し、前記ピンチ操作が開始されたとき前記ピンチ操作に係る操作ガイドのみを表示することが好ましい。
【００１１】
この構成によれば、フリック操作及びピンチ操作の両操作を受け付ける状態においてフリック操作に係る操作ガイドと、ピンチ操作に係る操作ガイドと、が交互に表示される。よって、ユーザはフリック操作及びピンチ操作の両操作が可能であることを認識することができる。そして、制御部はフリック操作が開始されたときフリック操作に係る操作ガイドのみを表示し、ピンチ操作が開始されたときピンチ操作に係る操作ガイドのみを表示する。よって、ユーザは自身のフリック操作又はピンチ操作が有効であることを認識することができる。
【発明の効果】
【００１２】
本発明によれば、タッチ式入力装置において、ユーザをより正確な操作に導くことができる。
【図面の簡単な説明】
【００１３】
【図１】本発明の一実施形態における車両に搭載されるタッチパッド及びディスプレイを示す斜視図。
【図２】本発明の一実施形態におけるタッチ式入力装置の構成を示すブロック図。
【図３】本発明の一実施形態におけるタッチボードの正面図。
【図４】本発明の一実施形態におけるアイコン画面を表示するディスプレイの正面図。
【図５】本発明の一実施形態における地図画面を表示するディスプレイの正面図。
【図６】本発明の一実施形態における（ａ）はフリック操作が可能であることを示す操作ガイドが表示されたタッチボードの正面図、（ｂ）及び（ｃ）は（ａ）の拡大図。
【図７】本発明の一実施形態におけるピンチ操作が可能であることを示す操作ガイドが表示されたタッチボードの正面図。
【図８】本発明の一実施形態における制御装置によって実行される、操作ガイド点灯に係る制御処理を示したフローチャート。
【図９】他の実施形態における（ａ），（ｂ）はタッチボードの正面図。
【発明を実施するための形態】
【００１４】
以下、タッチ式入力装置の一実施形態について図１〜図８に沿って説明する。
図１に示すように、ダッシュボード１の中央部（センタークラスタ）にはディスプレイ５が嵌め込まれている。そして、センターコンソール２には、シフトレバー３が設けられ、その手前側にタッチパッド装置１３がその表面であるタッチボード１３ａを露出させる態様で設けられている。
【００１５】
ユーザは、タッチボード１３ａへのタッチ操作（なぞり操作）を通じて、ディスプレイ５に表示されたアイコンの選択及び決定を行うことでカーナビゲーション等の車載機器の操作を行う。
【００１６】
図２に示すように、タッチ式入力装置１０は、ディスプレイ５と、タッチパッド装置１３と、制御装置１１とを備える。
タッチパッド装置１３は、タッチセンサ１４と、ＬＥＤ（発光ダイオード）１６ａ，１６ｂとを備える。タッチセンサ１４はタッチボード１３ａに指が触れたことに伴う静電容量の変化を検出し、その検出結果を制御装置１１に出力する。
【００１７】
図３に示すように、タッチボード１３ａは透明樹脂板に黒色の印刷処理がされた長方板状でなる。また、図３の破線で示すように、タッチボード１３ａには、青色の光を透過させる材質でなるフリック操作ガイド１７ａと、赤色の光を透過させる材質でなるピンチ操作ガイド１７ｂと、が形成されている。
【００１８】
フリック操作ガイド１７ａは上下方向にそれぞれ延びる２つの矢印形状に形成されている。このフリック操作ガイド１７ａはタッチボード１３ａをタッチした状態でその指を素早く払うフリック操作をユーザに連想させる形状である。
【００１９】
ピンチ操作ガイド１７ｂは、タッチボード１３ａの右上隅側及び左下隅側に両先端が延びた矢印形状に形成されている。このピンチ操作ガイド１７ｂは、タッチボード１３ａをタッチした２本指の間の距離を変化させるピンチ操作をユーザに連想させる形状である。
【００２０】
ＬＥＤ１６ａは、青色を発光するとともに発光した光をフリック操作ガイド１７ａに照射可能に配置されている。ＬＥＤ１６ｂは、赤色を発光するとともに発光した光をピンチ操作ガイド１７ｂに照射可能に配置されている。
【００２１】
また、制御装置１１は、上記ディスプレイ５の画面を制御する。
例えば、図４に示すように、制御装置１１は、ディスプレイ５に複数のアイコン５０ａ〜５０ｅを表示するアイコン画面と、図５に示すようにディスプレイ５に地図を表示する地図画面との間で表示画面を切り替える。
【００２２】
制御装置１１は、アイコン画面を表示するときフリック受付状態となって、地図画面を表示するときピンチ受付状態となる。制御装置１１は、フリック受付状態及びピンチ受付状態の何れの状態にあっても、タッチセンサ１４を通じてなぞり操作がされた旨判断すると、そのなぞり操作に応じて選択座標５ａを移動させる。このなぞり操作は、１本の指でタッチボード１３ａをフリック操作より遅い速度でなぞる操作である。
【００２３】
制御装置１１は、フリック受付状態にあるとき、ＬＥＤ１６ａを点灯させる。これにより、図６（ａ）に示すように、タッチボード１３ａにおけるフリック操作ガイド１７ａが青色に点灯した状態となる。ユーザは、フリック操作ガイド１７ａを見て、現在、フリック操作が可能であることを認識できる。
【００２４】
制御装置１１は、フリック受付状態において、タッチセンサ１４を通じてフリック操作された旨判断すると、ＬＥＤ１６ａ（フリック操作ガイド１７ａ）を消灯するとともに、ディスプレイ５に表示される画面を上下方向にスクロールする。
【００２５】
さらに、制御装置１１は、フリック操作される位置がフリック操作ガイド１７ａ上であるか否かに基づき、フリック操作の判定基準を変更する。
詳しくは、図６（ｂ）に示すように、フリック操作ガイド１７ａの範囲外においては、閾時間Ｔｔｈ１以内に閾距離Ｌｔｈ１以上のなぞり操作があることがフリック操作の判定基準となる。
【００２６】
また、図６（ｃ）に示すように、フリック操作ガイド１７ａ内においては、閾時間Ｔｔｈ２以内に閾距離Ｌｔｈ２以上のなぞり操作があることがフリック操作の判定基準となる。これら閾時間Ｔｔｈ２及び閾距離Ｌｔｈ２は上記閾時間Ｔｔｈ１及び閾距離Ｌｔｈ１より短い。よって、制御装置１１は、フリック操作がフリック操作ガイド１７ａ内で行われた場合には、短いなぞり操作距離で、かつ短い操作時間でフリック操作があった旨判定する。ここで、フリック操作ガイド１７ａ内でのフリック操作は、ユーザのフリック操作の意思があるものと判定される。よって、ユーザは容易にフリック操作を行うことができる。
【００２７】
また、制御装置１１は、フリック受付状態において、タッチセンサ１４を通じてピンチ操作された旨判断すると、そのピンチ操作を無効とする。
制御装置１１は、ピンチ受付状態にあるとき、ＬＥＤ１６ｂを点灯させる。これにより、図７に示すように、タッチボード１３ａにおけるピンチ操作ガイド１７ｂが赤色に点灯した状態となる。ユーザは、ピンチ操作ガイド１７ｂを見て、現在、ピンチ操作が可能であることを認識できる。
【００２８】
制御装置１１は、ピンチ受付状態において、タッチセンサ１４を通じてピンチ操作された旨判断すると、ＬＥＤ１６ｂ（ピンチ操作ガイド１７ｂ）を消灯するとともに、ディスプレイ５に表示される地図の縮尺を変化させる。また、制御装置１１は、ピンチ受付状態において、タッチセンサ１４を通じてフリック操作された旨判断すると、そのフリック操作を無効とする。
【００２９】
以下、図８のフローチャートを参照しつつ、制御装置１１による操作ガイド１７ａ，１７ｂの点灯に係る制御処理について説明する。このフローチャートは所定の周期毎に繰り返し実行される。
【００３０】
制御装置１１はアイコン画面を表示しているか否かを判断する（Ｓ１０１）。制御装置１１はアイコン画面を表示している旨判断すると（Ｓ１０１でＹＥＳ）、フリック受付状態となる（Ｓ１０２）。そして、制御装置１１はＬＥＤ１６ａ（フリック操作ガイド１７ａ）を点灯する（Ｓ１０３）。このとき、制御装置１１は、ＬＥＤ１６ｂ（ピンチ操作ガイド１７ｂ）が点灯していれば、それを消灯する。これにより、ユーザにフリック操作が可能である旨を通知することができる。
【００３１】
つぎに、制御装置１１は、表示画面がアイコン画面に維持されている限り、フリック操作が開始されるのを待つ（Ｓ１０４でＮＯ、Ｓ１０５でＮＯ）。そして、制御装置１１はフリック操作が開始された旨判断すると（Ｓ１０４でＹＥＳ）、ＬＥＤ１６ａ（フリック操作ガイド１７ａ）を消灯する（Ｓ１０６）。以上で、制御装置１１はフローチャートに係る処理を終了する。
【００３２】
制御装置１１は、表示画面がアイコン画面から切り替えられた旨判断すると（Ｓ１０５でＹＥＳ）、ＬＥＤ１６ａ（フリック操作ガイド１７ａ）を消灯し（Ｓ１０６）、フローチャートに係る処理を終了する。
【００３３】
一方、制御装置１１は、ステップＳ１０１においてアイコン画面を表示していない旨判断すると（Ｓ１０１でＮＯ）、地図画面を表示しているか否かを判断する（Ｓ１０７）。
制御装置１１は地図画面を表示している旨判断すると（Ｓ１０７でＹＥＳ）、ピンチ受付状態となる（Ｓ１０８）。そして、制御装置１１はＬＥＤ１６ｂ（ピンチ操作ガイド１７ｂ）を点灯する（Ｓ１０９）。これにより、ユーザにピンチ操作が可能である旨を通知することができる。
【００３４】
つぎに、制御装置１１は表示画面が地図画面に維持されている限り、ピンチ操作が開始されるのを待つ（Ｓ１１０でＮＯ、Ｓ１１１でＮＯ）。そして、制御装置１１はピンチ操作が開始された旨判断すると（Ｓ１１０でＹＥＳ）、ＬＥＤ１６ｂ（ピンチ操作ガイド１７ｂ）を消灯する（Ｓ１０６）。以上で、制御装置１１はフローチャートに係る処理を終了する。
【００３５】
制御装置１１は、表示画面が地図画面から切り替えられた旨判断すると（Ｓ１０７でＹＥＳ）、ＬＥＤ１６ｂ（ピンチ操作ガイド１７ｂ）を消灯し（Ｓ１０６）、フローチャートに係る処理を終了する。
【００３６】
なお、ＬＥＤ１６ａ，１６ｂ及び操作ガイド１７ａ，１７ｂは表示部の一例であって、タッチセンサ１４は検出部の一例である。また、制御装置１１は制御部の一例である。
以上、説明した実施形態によれば、特に以下の効果を奏することができる。
【００３７】
（１）制御装置１１は、ディスプレイ５に表示する画面（アイコン画面、地図画面）に応じて受け付け操作状態をフリック受付状態とピンチ受付状態との間で変更するとともに、ＬＥＤ１６ａ，１６ｂの点灯を通じてタッチボード１３ａに受け付け操作を示す操作ガイド１７ａ，１７ｂを表示する。よって、ユーザはタッチボード１３ａへタッチ操作する際に、操作ガイド１７ａ，１７ｂを見て受け付け操作内容を認識することができる。これにより、ユーザをより正確な操作に導くことができる。
【００３８】
（２）操作面であるタッチボード１３ａに操作ガイド１７ａ，１７ｂが表示される。従って、タッチボード１３ａをなぞり操作する際に、自然とユーザの目に操作ガイド１７ａ，１７ｂが入る。このため、ユーザをより確実に正確な操作に導くことができる。
【００３９】
（３）タッチボード１３ａにおけるフリック操作ガイド１７ａの範囲内が操作されているとき、それ以外の範囲が操作されている場合と比べて閾時間Ｔｔｈ２及び閾距離Ｌｔｈ２が小さく設定される。よって、制御装置１１は、フリック操作ガイド１７ａ内では、より短い時間及びなぞり操作距離でフリック操作がされた旨判断する。これにより、ユーザのフリック操作の意思があると推定されるフリック操作ガイド１７ａの範囲内でのフリック操作をより容易に行うことができる。
【００４０】
（４）フリック操作ガイド１７ａは青色に点灯し、ピンチ操作ガイド１７ｂは赤色に点灯する。このように、操作ガイド１７ａ，１７ｂを色分けすることで、ユーザにより確実に操作ガイド１７ａ，１７ｂの内容を識別させることができる。
【００４１】
（５）制御装置１１はフリック操作が開始された旨判断すると（Ｓ１０４でＹＥＳ）、ＬＥＤ１６ａ（フリック操作ガイド１７ａ）を消灯する（Ｓ１０６）。この消灯を通じて、ユーザは自身のフリック操作が有効であることを認識することができる。ピンチ操作についても、ユーザはピンチ操作ガイド１７ｂの消灯を通じてピンチ操作が有効であることを認識できる。
【００４２】
なお、上記実施形態は、これを適宜変更した以下の形態にて実施することができる。
・上記実施形態においては、制御装置１１はフリック操作及びピンチ操作の何れか一方のみを受け付けていたが、フリック操作及びピンチ操作の両操作を受け付け可能な状態となってもよい。このとき、制御装置１１はフリック操作ガイド１７ａと、ピンチ操作ガイド１７ｂと、を交互に点灯させる。すなわち、両操作ガイド１７ａ，１７ｂは交互に点滅した状態となる。よって、ユーザはフリック操作及びピンチ操作の両操作が可能であることを認識することができる。そして、制御装置１１はフリック操作が開始されたときフリック操作ガイド１７ａのみを点灯させ、ピンチ操作が開始されたときピンチ操作ガイド１７ｂのみを点灯させる。よって、ユーザは自身のフリック操作又はピンチ操作が有効であることを認識することができる。
【００４３】
また、制御装置１１は、両操作ガイド１７ａ，１７ｂを交互に点灯せずに、両操作ガイド１７ａ，１７ｂを同時に点灯して、フリック操作又はピンチ操作が開始されたとき、その操作に対応する操作ガイド１７ａ，１７ｂのみを残してもよい。
【００４４】
・上記実施形態においては、フリック画面においては上下方向にフリック操作可能であったが、その他、左右方向、斜め方向にフリック操作可能であってもよい。この場合、フリック操作可能な方向を向く矢印の操作ガイドが点灯される。また、フリック画面において、上方向にのみフリック操作が可能である場合には、上方向の矢印のみの操作ガイドを点灯してもよい。
【００４５】
・図３に示す操作ガイド１７ａ，１７ｂの形状は上記実施形態に限らない。例えば、
図９（ａ）に示すように、タッチボード１３ａの上側端部及び下側端部が赤色に点灯する操作ガイド５１であってもよい。
【００４６】
また、図９（ｂ）に示すように、タッチボード１３ａの外枠が青に点灯する操作ガイド５２であってもよい。ユーザは、色及び点灯範囲をみて、可能な操作内容を認識する。これら構成では、容易に操作ガイド５１，５２を構成することができる。
【００４７】
さらに、その他文字及び図形を組み合わせてユーザに可能な操作内容を認識させてもよい。
・上記実施形態においては、タッチパッド装置１３にはＬＥＤ１６ａ，１６ｂを設けていたが、ＬＥＤ１６ａ，１６ｂに代えて電球を設けてもよい。また、タッチパッド装置１３はタッチ操作可能なディスプレイであってもよい。
【００４８】
・上記実施形態においては、両操作ガイド１７ａ，１７ｂ間で点灯する色が異なっていたが、同一の色としてもよい。また、操作ガイド１７ａ，１７ｂの点灯色も適宜変更可能である。
【００４９】
・タッチパッド装置１３の位置は上記実施形態に限らず、例えば、ステアリング又はダッシュボード１に設けられていてもよい。
・上記実施形態におけるタッチ式入力装置１０を車両以外の電気機器に適用してもよい。
【００５０】
・上記実施形態においては、タッチセンサ１４として静電容量方式が採用されていたが、その他、抵抗膜方式、表面弾性波方式、赤外線方式又は電磁誘導方式を採用してもよい。
【００５１】
・上記実施形態におけるアイコン５０ａ〜５０ｅの種類、数及び形状は一例であって、これに限定されない。
・上記実施形態におけるアイコンの概念にはボタン、リスト及びスクロールバーも含まれている。
【００５２】
・上記実施形態においては、制御装置１１は、フリック操作ガイド１７ａの範囲内で行われた場合には、短いなぞり操作距離で、かつ短い操作時間でフリック操作があった旨判断する。同様に、制御装置１１は、ピンチ操作がピンチ操作ガイド１７ｂの範囲内で行われた場合には、ピンチ操作の感度を向上させてもよい。これにより、より少ない操作量で大きく地図を縮小又は拡大することができる。
【００５３】
・上記実施形態において、操作ガイド１７ａ，１７ｂの点灯に加えて、音や振動を通じて受け付け操作内容をユーザに通知してもよい。これにより、ユーザにより確実に受け付け操作内容を認識させることができる。
【００５４】
・上記実施形態においては、タッチ式入力装置１０はフリック操作及びピンチ操作が可能であったが、その他の操作を可能としてもよい。例えば、制御装置１１は、タッチボード１３ａを叩くタップ操作を受け付け可能であるときには、その旨の操作ガイドを表示してもよい。
【００５５】
・上記実施形態においては、制御装置１１はフリック操作が開始された旨判断すると（Ｓ１０４でＹＥＳ）、ＬＥＤ１６ａ（フリック操作ガイド１７ａ）を消灯していたが（Ｓ１０６）、消灯せずに点灯状態を保ってもよい。ピンチ操作の開始時も同様に、ピンチ操作ガイド１７ｂの点灯状態を保ってもよい。
【００５６】
次に、前記実施形態から把握できる技術的思想を記載する。
（イ）前記表示部はＬＥＤを点灯することで前記操作面に操作ガイドを表示することを特徴とするタッチ式入力装置。
【００５７】
（ロ）前記操作ガイド毎に異なる色で点灯させることを特徴とするタッチ式入力装置。
【符号の説明】
【００５８】
５…ディスプレイ、１０…タッチ式入力装置、１１…制御装置、１３…タッチパッド装置、１３ａ…タッチボード、１４…タッチセンサ、１６ａ，１６ｂ…ＬＥＤ、１７ａ，１７ｂ…操作ガイド。
【図１】
2014126938.tif 000003
【図２】
2014126938.tif 000004
【図３】
2014126938.tif 000005
【図４】
2014126938.tif 000006
【図５】
2014126938.tif 000007
【図６】
2014126938.tif 000008
【図７】
2014126938.tif 000009
【図８】
2014126938.tif 000010
【図９】
2014126938.tif 000011